(57)【特許請求の範囲】
【請求項１】
下記のステップ１から５の段階を備える微小焦点距離コリメーションに基づくマイクロキャビティ測定法。
ステップ１．プローブボールと、ファイバステムと、円筒形または球形であり焦点距離がマイクロメートルの大きさであって前記ファイバステムの中間に取り付けられるコリメーションレンズとを有するファイバプローブを提供する段階。一端が片持ち梁状であり他端にボールが取り付けられた細いガラスファイバが、前記ファイバプローブとして働く。前記コリメーションレンズは、円筒形または球形であり、焦点距離がマイクロメートルの大きさであって、前記ファイバステムの中間に取り付けられる。
ステップ２．光電子検出器により取得される点光源の像の変化に前記ファイバステムの動きを変換する平行光結像光学システムを前記コリメーションレンズを用いて形成させる前記点光源を提供する段階。
ステップ３．前記ファイバプローブ、前記点光源、および前記光電子検出器を有し、前記点光源、前記ファイバプローブ、および前記光電子検出器が前記平行光結像光学システムを形成するように相対的に位置決めされるマイクロキャビティ検出器を提供する段階。
ステップ４．前記光電子検出器の像信号および前記マイクロキャビティ検出器の座標がリアルタイムで取得され演算プログラムにより処理されるように前記マイクロキャビティ検出器を座標測定機（ＣＭＭ）と組み合わせる段階。
ステップ５．マイクロキャビティ製品に前記プローブボールを導入し、前記プローブボールが前記マイクロキャビティ製品に接触するまで前記座標測定機によって前記マイクロキャビティ検出器を移動させ、前記演算プログラムにより取得される接触地点の座標から測定結果を生成する段階。
【請求項２】
微小焦点距離コリメーションに基づくマイクロキャビティ２次元検出装置であって、
点光源を形成する光源として備えられる平行光光源、前記平行光光源の平行光を集光して前記点光源を形成する球面レンズ群、前記点光源を平行にし結像する微小円筒レンズとして備えられるファイバステム、および前記点光源の像を取得する光電子検出器を有する前記点光源の平行光結像光学システムと、
前記平行光光源を取り付け、並進２次元および回転２次元について調節する４次元調節機構と、
前記ファイバステムを取り付け、並進３次元および回転２次元について調節する５次元調節機構と、
目標物に接触するプローブボール、および前記プローブボールの動きを伝達する前記ファイバステムを有するファイバプローブと、
前記４次元調節機構を接続する第１コネクタ、前記球面レンズ群を接続する第２コネクタ、前記５次元調節機構を接続する第３コネクタ、および前記光電子検出器を接続する第４コネクタを接続し位置決めする台座と、
前記光電子検出器から取得した結像信号をデジタル取得処理システムへ伝送する通信ケーブルと、
前記結像信号を取得および処理し、前記プローブボールの前記動きに関連する数値を出力する前記デジタル取得処理システムと
を備えるマイクロキャビティ２次元検出装置。
【請求項３】
微小焦点距離コリメーションに基づくマイクロキャビティ３次元検出装置であって、
点光源を形成する光源として備えられる平行光光源、前記平行光光源の平行光を集光して前記点光源を形成する球面レンズ群、前記点光源を平行にし結像する微小球面レンズ、および前記点光源の像を取得する光電子検出器を有する前記点光源の平行光結像光学システムと、
前記平行光光源を取り付け、並進２次元および回転２次元について調節する４次元調節機構と、
カンチレバーを取り付け、並進３次元および回転２次元について調節する５次元調節機構と、
ファイバステムを前記５次元調節機構に接続し３次元の自由度を持たせる前記カンチレバー、目標物に接触するプローブボール、前記プローブボールの動きを伝達する前記ファイバステム、および前記ファイバステムの動きを伝達する前記微小球面レンズを有するファイバプローブと、
前記４次元調節機構を接続する第１コネクタ、前記球面レンズ群を接続する第２コネクタ、前記５次元調節機構を接続する第３コネクタ、および前記光電子検出器を接続する第４コネクタを接続し位置決めする台座と、
前記光電子検出器から取得した結像信号をデジタル取得処理システムへ伝送する通信ケーブルと、
前記結像信号を取得および処理し、前記プローブボールの前記動きに関連する数値を出力するデジタル取得処理システムと
を備えるマイクロキャビティ３次元検出装置。
【請求項４】
前記点光源は、
光源として備えられる前記平行光光源と、
前記平行光光源の前記平行光の照射方向を変化させる平面反射機構と、
前記平面反射機構から反射される前記平行光を集光し、前記点光源を形成する凹面反射機構と
を有する光学反射機構によって得られる請求項２に記載のマイクロキャビティ２次元検出装置。
【請求項５】
前記点光源は、
光源として備えられる前記平行光光源と、
前記平行光光源の前記平行光の照射方向を変化させる平面反射機構と、
前記平面反射機構から反射される前記平行光を集光し、前記点光源を形成する凹面反射機構と
を有する光学反射機構によって得られる請求項３に記載のマイクロキャビティ３次元検出装置。
【請求項６】
前記点光源は、
光源として備えられる前記平行光光源と、
前記平行光光源の前記平行光を回折し、前記点光源を形成するピンホール機構と
を有する光学回折機構によって得られる請求項２に記載のマイクロキャビティ２次元検出装置。
【請求項７】
前記点光源は、
光源として備えられる前記平行光光源（８）と、
前記平行光光源の前記平行光を回折し、前記点光源を形成するピンホール機構と
を有する光学回折機構によって得られる請求項３に記載のマイクロキャビティ３次元検出装置。
【請求項８】
前記微小球面レンズは前記ファイバステムに埋め込まれる請求項３、５、または７に記載のマイクロキャビティ３次元検出装置。
【請求項９】
前記微小球面レンズは前記ファイバステムに接する請求項３、５、または７に記載のマイクロキャビティ３次元検出装置。
【発明の詳細な説明】
【技術分野】
【０００１】
本願発明は、１つのマイクロキャビティ測定法、および微小焦点距離コリメーション（ｍｉｃｒｏ  ｆｏｃａｌ−ｌｅｎｇｔｈ  ｃｏｌｌｉｍａｔｉｏｎ）に基づく２種類の検出装置を含み、従来の接触測定に加えて、不規則なマイクロキャビティ、特に"サブマクロ（ｓｕｂ−ｍａｃｒｏ）"なマイクロキャビティの測定に使用することができる。
【背景技術】
【０００２】
［関連出願］
なし。
【０００３】
航空産業、電子産業、および医療機器等の多くの応用分野において、小型化は最も重要な開発動向の一つである。マイクロキャビティ構造を有する製品は、燃料噴射ノズル、慣性機器、光ファイバフェルール、伸線ダイス、印刷回路基板中のホール、および医療器具等の応用において非常に重要である。微小な空間および測定力に制限されるので、高アスペクト比のマイクロキャビティを高精度で測定することは難しい。細いプローブを有する検出器が、様々な状態におけるマイクロキャビティ測定用に主に設計されてきた。座標測定機構（ＣＭＭ）がこれらの検出器に組み合わされ、照準トリガーモード（ａｉｍｉｎｇ  ａｎｄ  ｔｒｉｇｇｅｒｉｎｇ  ｍｏｄｅ）においてマイクロキャビティの測定を完了する。ＣＭＭ技術は、不確かさがナノメートルという正確な３次元の動きを実現するほど十分に発展してきたが、マイクロキャビティ検出器は十分には発展してきていない。大部分の検出器の不確かさは、サブマイクロメートルでしかない。
【０００４】
Ｙａｎｇ  Ｓｈｉｍｉｎ、Ｌｉ  Ｓｈｕｈｅ、Ｈａｎ  Ｍｅｉｍｅｉらは、直径２００μｍのホールをおよそ１μｍの精度で測定する検出器を考案した。そのプローブは、物体の偏位が静電容量センサによって感知されるように、弾性体で作られている。この方法は、検出過程で生じる０．２μｍの非線形誤差を有し、また、プローブをさらに小型化することが困難である。
【０００５】
Ｂ．Ｊ．Ｋｉｍ、Ｔ．Ｍａｓｕｚａｗａ、およびＴ．Ｂｏｕｒｏｕｉｎａらは、微小なホールを測定する振動走査法（ｖｉｂｒａｔｉｎｇ−ｓｃａｎｎｉｎｇ  ｍｅｔｈｏｄ）を考案した。この方法は、電気伝導性の表面に接触する振動マイクロプローブを用いる。接触すると、回路が閉じて信号を出力する。プローブが振動しているので、信号は断続的である。プローブ振動の１振幅分の時間に対して表面と接触する継続時間が、表面へのプローブの近接度指数を与える。Ｍａｓｕｚａｗａは、ツインプローブを用いてこの技術を改良し、非導電性表面も同様に測定した。振動走査技術は、直径およそ１２５μｍのホールを０．５μｍの精度で測定することができる。この方法は、振動源によって生じる大きなドリフトを有し、また、プローブの先端形状が矩形であり、死角による誤差を引き起こす。
【０００６】
Ｈ．Ｓｃｈｗｅｎｋｅ、Ｆ．Ｗaｌｄｅｌｅ、Ｃ．Ｗｅｉｓｋｉｒｃｈ、Ｈ．Ｋｕｎｚｍａｎｎらは、微小なホールを検出するためにファイバプローブの先端を結像する方法を考案した。先端に直径２５μｍのボールを有する直径１５μｍの細いファイバがプローブとして使用される。光がファイバを介して入り、ボールに入射する。電荷結合素子（ＣＣＤ）カメラを用いて、後方散乱光が結像される。この方法は、直径およそ５０μｍのホールを測定するのにサブマイクロメートルの不確かさを有する。しかしながらこのプローブは、後方散乱光の減少のために高アスペクト比のホールを検出できない。
【０００７】
Ｔａｎ  ＪｉｕｂｉｎおよびＣｕｉ  Ｊｉｗｅｎは、マイクロキャビティを測定するための二重ファイバ連結法（ｄｏｕｂｌｅ  ｆｉｂｅｒｓ  ｃｏｕｐｌｉｎｇ  ｍｅｔｈｏｄ）を考案した。二つのファイバが、プローブボールとして使用される一つのボールに連結される。光が一方のファイバを介して入り、ボールに入射する。後方散乱光の一部が他方のファイバによって伝送され、拡大レンズ群によってＣＣＤカメラに結像される。この方法は、高アスペクト比のホールを検出する課題を解決し、サブマイクロメートルの不確かさを有するが、製造工程が非常に難しく、さらに小型化することができない。
【０００８】
Ｂ．Ｍｕｒａｌｉｋｒｉｓｈｎａｎ、Ｊ．Ａ．Ｓｔｏｎｅ、Ｊ．Ｒ．Ｓｔｏｕｐらは、微小なホールを測定するための結像ファイバステム法（ｉｍａｇｉｎｇ  ｆｉｂｅｒ  ｓｔｅｍ  ｍｅｔｈｏｄ）を考案した。先端に直径７５μｍのボールを有する直径５０μｍの細いファイバがプローブとして使用される。２次元観測用の２つの直交する同一な光学系により、ファイバステムはバンド形状に結像される。光学系の倍率は３５である。理想的条件において空間中のプローブ位置を検出するのに約４ｎｍの不確かさを達成し、公称直径１００μｍのホールについて、直径に対して０．０７μｍ（ｋ＝２）の広がった不確かさが得られた。測定の深さは５ｍｍに達する。この方法は他の方法よりも良好であるが、結像倍率が低過ぎるため、より高感度で速い信号検出ができない。
【０００９】
Ａ．Ｋｕｎｇ、Ｆ．Ｍｅｌｉ、およびＲ．Ｔｈａｌｍａｎｎらは、移動質量を最小限にし、等方的な低い剛性を確実にするために、屈曲ヒンジの平行運動学的な構造に基づく接触プローブを考案した。このプローブヘッドは、直径０．１ｍｍまでの交換可能なプローブを支持することを特徴としている。５ｎｍの再現性、および０．０５μｍの不確かさを達成した。この方法は非常に複雑な検知構造を有し、そのプローブは小型化の問題を有する。
【００１０】
中でもファイバプローブは、光学伝導度、小型化の容易さ、および微小測定力といったその光学的および機械的特徴により、マイクロキャビティの測定にいくつか応用され、より好ましいものになってきている。様々な方法がファイバプローブの動きを感知するために考案されている。以下はその欠点のいくつかである。
【００１１】
１．ファイバプローブの検出分解能をさらに向上させることは困難である。大部分のファイバプローブは、サブマイクロメートルの分解能しか持たない。ファイバプローブを検出する動き感度が低過ぎる。２．絶対的なゼロ点が無く、測定再現性および測定した極性の判定にとって障害となる。３．一般に応用するには検出器の構造が複雑過ぎる。４．測定速度が遅過ぎるのでリアルタイムの応用を実現できない。
【発明の概要】
【００１２】
本願発明の１つの目的は、現在使用されているマイクロキャビティ測定法の欠点を克服するため、垂直もしくは傾斜した平面を有するマイクロキャビティを測定するための微小焦点距離コリメーションに基づく測定方法を提案することである。
【００１３】
本願発明の１つの側面に従って、以下のステップを備える、微小焦点距離コリメーションに基づくマイクロキャビティ測定法が提案される。ステップ１．プローブボール、ファイバステム、およびコリメーションレンズを備えるファイバプローブを提供する。一端は片持ち梁状であり、他端にはボールが取り付けられた細いガラスファイバがプローブとして働く。コリメーションレンズは円筒形もしくは球形であり、その焦点距離はマイクロメートルの大きさである。コリメーションレンズはファイバステムの中間に取り付けられる。ステップ２．ステップ１に記載したコリメーションレンズを用いて平行光結像光学システム（ｃｏｌｌｉｍａｔｉｎｇ  ａｎｄ  ｉｍａｇｉｎｇ  ｏｐｔｉｃａｌ  ｓｙｓｔｅｍ）を形成する点光源を提供する。像は光電子検出器によって取得され、平行光結像光学システムはファイバステムの動きを点光源の像変化に変換するために使用される。ステップ３．主として、ステップ１に記載したファイバプローブ、ステップ２に記載した点光源および光電子検出器から構成されるマイクロキャビティ検出器を提供する。点光源、ファイバプローブ、および光電子検出器は、ステップ２に記載した平行光結像光学システムを形成するように相対的に位置決めされる。ステップ４．ステップ３に記載したマイクロキャビティ検出器を座標測定機（ＣＭＭ）と組み合わせる。光電子検出器の結像信号およびマイクロキャビティ検出器の座標がリアルタイムに取得され、演算プログラムによって処理される。ステップ５．マイクロキャビティ製品（ｗｏｒｋ  ｐｉｅｃｅ）にプローブボールを導入し、プローブボールがマイクロキャビティ製品に接触するまでマイクロキャビティ検出器をＣＭＭによって移動させる。ステップ４に記載した演算プログラムから、接触した地点の座標を取得することができる。接触した地点の座標から測定結果が生成される。
【００１４】
本願発明の他の目的は、マイクロキャビティ測定のための微小焦点距離コリメーションに基づくマイクロキャビティ２次元検出装置を提案することである。
【００１５】
本願発明の第２の側面に従って、図１に示されるように、微小焦点距離コリメーションに基づくマイクロキャビティ２次元検出装置が提案される。この図においては、点光源の平行光結像光学システムが、平行光光源８、球面レンズ群９、ファイバステム１１、および光電子検出器１５より形成される。平行光光源８が光源として設けられ、球面レンズ群９は平行光光源８の平行光を集光して点光源１０を形成するために設けられる。ファイバステム１１は点光源１０を平行にして結像する微小円筒レンズとして設けられ、光電子検出器１５は点光源１０の像を取得するために設けられる。点光源の平行光結像光学システムを容易に形成するために、調節機構が採用される。４次元調節機構７は、平行光光源８を取り付け、並進２次元および回転２次元に関して調節するために使用される。５次元調節機構４は、ファイバステム１１を取り付け、並進３次元および回転２次元に関して調節するために使用される。ファイバプローブは、ファイバステム１１およびプローブボール１２を備える。ファイバステム１１は、プローブボール１２の動きを伝達するために設けられ、プローブボール１２は目標物に接触するために設けられる。台座１は、第１コネクタ２、第２コネクタ３、第３コネクタ５、および第４コネクタ６を接続し位置決めするために使用される。第１コネクタ２は４次元調節機構７を接続するために使用され、第２コネクタ３は球面レンズ群９を接続するために使用される。第３コネクタ５は５次元調節機構４を接続するために使用され、第４コネクタ６は光電子検出器１５を接続するために使用される。通信ケーブル１６は、光電子検出器１５から取得した結像信号を、デジタル取得処理システム１４へ伝送する。デジタル取得処理システム１４は、結像信号を取得および処理し、プローブボール１２の動きに関連した数値を出力する。
【００１６】
本願発明の第３の目的は、微小焦点距離コリメーションに基づくマイクロキャビティ３次元検出装置を提案することである。
【００１７】
本願発明の第３の側面に従って、図２に示されるように、微小焦点距離コリメーションに基づくマイクロキャビティ３次元検出装置が提案される。この図においては、点光源の平行光結像光学システムが、平行光光源８、球面レンズ群９、微小球面レンズ１７、および光電子検出器１５より形成される。平行光光源８が光源として設けられ、球面レンズ群９は平行光光源８の平行光を集光して点光源１０を形成するために設けられる。微小球面レンズ１７は点光源１０を平行にして結像する微小球面レンズとして設けられ、光電子検出器１５は点光源１０の像を取得するために設けられる。点光源の平行光結像光学システムを容易に形成するために、調節機構が採用される。４次元調節機構７は、平行光光源８を取り付け、並進２次元および回転２次元に関して調節するために使用される。５次元調節機構４は、カンチレバー１８を取り付け、並進３次元および回転２次元に関して調節するために使用される。ファイバプローブは、カンチレバー１８、ファイバステム１１、微小球面レンズ１７、およびプローブボール１２を備える。カンチレバー１８はファイバステム１１を５次元調節機構４に接続し、ファイバステムが３次元の自由度を持つように設けられる。ファイバステム１１はプローブボール１２の動きを伝えるために設けられる。微小球面レンズ１７はファイバステム１１の動きを伝達するために設けられ、またプローブボール１２は目標物に接触するために設けられる。台座１は、第１コネクタ２、第２コネクタ３、第３コネクタ５、および第４コネクタ６を接続し位置決めするために使用される。第１コネクタ２は４次元調節機構７を接続するために使用され、第２コネクタ３は球面レンズ群９を接続するために使用される。第３コネクタ５は５次元調節機構４を接続するために使用され、第４コネクタ６は光電子検出器１５を接続するために使用される。通信ケーブル１６は、光電子検出器１５から取得した結像信号を、デジタル取得処理システム１４へ伝送する。デジタル取得処理システム１４は、結像信号を取得および処理し、プローブボール１２の動きに関連した数値を出力する。
【００１８】
点光源１０は、図３に示される光反射機構によって得ることもできる。この図においては、平行光光源８が光源として設けられ、平面反射機構２０が、平行光光源８の平行光の照射方向を変化させるために使用される。そして凹面反射機構１９が、平面反射機構２０から反射された平行光を集光して点光源１０を形成する。このような点光源１０は、本願発明のマイクロキャビティ２次元検出装置およびマイクロキャビティ３次元検出装置のいずれにも使用することができる。
【００１９】
点光源１０は、図４に示される光回折機構によっても得ることができる。この図においては、平行光光源８が光源として設けられ、ピンホール機構２１が、平行光光源８の平行光を回折するために使用され、点光源１０を形成する。このような点光源１０は、本願発明のマイクロキャビティ２次元検出装置およびマイクロキャビティ３次元検出装置のいずれにも使用することができる。
【００２０】
本願発明の第３の目的において記載された微小球面レンズ１７は、図５ａに示すように、ファイバステム１１に埋め込まれる。
【００２１】
本願発明の第３の目的において記載された微小球面レンズ１７は、また、図５ｂに示すように、ファイバステム１１に接することもできる。
【００２２】
本願発明の特徴および利点は以下に示す通りである。１．ファイバプローブの動きを感知するために、平行光結像光学システムを形成する点光源およびコリメーションレンズが使用される。平行光結像光学システムは、１０，０００までの超高変位感度、およびサブナノメートルまでの超高解像度を達成する。２．全ての動き方向に、輝度像の偏心度および大きさに関連した極値が存在する。極値は、測定における絶対的ゼロ点として用いることができる。３．ファイバステムの２次元または３次元の動きが、１つの単純な光学系により超高感度および超高解像度で効果的に取得される。この特徴は、単純な構造をした検出測定システムに応用できる。ファイバステムの２次元および３次元の動きは、像の変化に変換される。像の輝度重心の動きはファイバステムの１次元または２次元の動きに関連しており、像の輝度領域の大きさはファイバステムの１次元の動きに関連している。４．ファイバステムの２次元または３次元の動きが、ライン状に配列された１つの光電子検出器または領域状に配列された１つの光電子検出器により効果的に取得される。この方法は超高感度であり、高解像度を有する測定信号の計算処理を単純化する。これらの特徴は、高速サンプリングおよびリアルタイム測定に応用できる。
【００２３】
とりわけ本願発明は、微小測定力、小型化の容易さ、および高い測定アスペクト比等のファイバプローブの特徴を持つだけではなく、より高い検出分解能、測定方向の極値点、より高速な測定、および単純なシステム構造等の特徴も持っている。検出分解能はサブナノメートルからそれ以下に達し、プローブボールは直径４０μｍに形成され、測定深さは５ｍｍ以上に達する。
【図面の簡単な説明】
【００２４】
【図１】微小焦点距離コリメーションに基づくマイクロキャビティ２次元検出装置の構造を示す。
【００２５】
【図２】微小焦点距離コリメーションに基づくマイクロキャビティ３次元検出装置の構造を示す。
【００２６】
【図３】反射光学に基づく点光源取得のブロック図を示す。
【００２７】
【図４】ピンホール回折光学に基づく点光源取得のブロック図を示す。
【００２８】
【図５ａ】埋め込み構造のファイバプローブを示す。
【００２９】
【図５ｂ】接合構造のファイバプローブを示す。
【００３０】
図１から図５に示されるように、検出装置は、台座（１）、第１コネクタ（２）、第２コネクタ（３）、５次元調節機構（４）、第３コネクタ（５）、第４コネクタ（６）、４次元調節機構（７）、平行光光源（８）、球面レンズ群（９）、点光源（１０）、ファイバステム（１１）、プローブボール（１２）、平行光結像光学システムの光軸（１３）、デジタル取得処理システム（１４）、光電子検出器（１５）、デジタル通信ケーブル（１６）、微小球面レンズ（１７）、カンチレバー（１８）、凹面反射機構（１９）、平面反射機構（２０）、ピンホール機構（２１）を備える。
【発明を実施するための形態】
【００３１】
微小焦点距離コリメーションに基づくマイクロキャビティ測定法は以下のステップを含む。
【００３２】
ステップ１．プローブボール、ファイバステム、およびコリメーションレンズを備えるファイバプローブを提供する。一端は片持ち梁状であり、他端にはボールが取り付けられた細いガラスファイバがプローブとして働く。コリメーションレンズは円筒形もしくは球形であり、その焦点距離はマイクロメートルの大きさである。コリメーションレンズはファイバステムの中間に取り付けられる。
【００３３】
ステップ１において、コリメーションレンズは焦点距離がマイクロメートルの大きさであり、理想的なものを作ることは難しい。しかしながら、非理想的なものであってもよい。ファイバステムの一部や微小な水晶のボールが、微小焦点距離を有するレンズとして使用できる。レンズの焦点距離は次の式を用いて近似的に計算できる。
【数１】
0005366278.tif 000002
ここで、ｆはレンズの焦点距離、ｒはファイバステムまたは水晶のボールの半径、ｎ１はファイバステムまたは水晶のボールの屈折率であり、空気の屈折率は１である。ｒは１０μｍから１００μｍの範囲であり、ｎ１は１．４から１．６の範囲である。従って、数式（１）に従うと、ｆは１３．３３μｍから１３３．３３μｍの範囲である。
【００３４】
ステップ２．ステップ１に記載したコリメーションレンズを用いて平行光結像光学システムを形成する点光源を提供する。像は電荷結合素子（ＣＣＤ）カメラによって取得され、平行光結像光学システムはファイバステムの動きを点光源の像変化に変換するために使用される。
【００３５】
ステップ２において、点光源は３つの方法により得ることができる。第一の方法は光の屈折理論に基づくものであり、球面レンズ群を平行光光源と組み合わせて点光源を得る。第二の方法は光の反射理論に基づくものであり、凹面反射器を平行光光源と組み合わせて点光源を得る。第三の方法は光の回折理論に基づくものであり、ピンホールを平行光光源と組み合わせて点光源を得る。
【００３６】
ステップ１に記載したコリメーションレンズの焦点付近に点光源が位置する場合、平行光学系が形成され、点光源のビームが平行になりＣＣＤカメラに結像する。像は、ファイバステムの動きに関連して変化する。像は、ファイバステムの２種類の動きに応じて２つの様式で変化する。
【００３７】
像変化の第一の様式は、像の輝度重心の移動である。この移動は、平行光学系の光軸に対して垂直な方向のファイバステムの動きに対応し、数式（２）によって近似的に感度を計算することができる。
【数２】
0005366278.tif 000003
ここでβは平行光学系の動き感度、ｌ'は結像距離、ｆはコリメーションレンズの焦点距離である。ｌ'が１００ｍｍおよびｆが１３．３３μｍの場合、βはおよそ７５００に達する。
【００３８】
像変化の第二の様式は像の輝度サイズであり、平行光学系の光軸の方向におけるファイバステムの動きに対応し、感度は数式（３）を用いて近似的に計算できる。
【数３】
0005366278.tif 000004
ここでαは平行光学系の動き感度、θは点光源のビームの発散角、ｌ'は結像距離、ｆはコリメーションレンズの焦点距離である。θが４５°、ｌ'が１００ｍｍ、およびｆが１３．３３μｍの場合、αはおよそ１５０００に達する。
【００３９】
結像輝度の偏心度は、平行光学系の光軸に垂直な方向のファイバステムの動きに関連して変化する。偏心度は、偏心度０において極値を取る。一方、像のサイズは、像のサイズが最小となる場合に極値を取る。従って、極値点がいずれの検出方向にも存在するので測定に対して有用である。
【００４０】
ステップ３．主として、ステップ１に記載したファイバプローブ、ステップ２に記載した点光源およびＣＣＤカメラから構成されるマイクロキャビティ検出器を提供する。点光源、ファイバプローブ、およびＣＣＤカメラは、ステップ２に記載した平行光結像光学システムを形成するように相対的に位置決めされる。
【００４１】
ステップ３において、単純な構成、２次元または３次元の検出能力、および超高感度を有するマイクロキャビティ検出器が形成される。ＣＣＤカメラの出力信号は、非常に高い動き感度により高解像度で容易に計算され、各検出方向の出力信号の結合による干渉はほとんどない。これらの特徴により、高速、高解像度、および高アスペクト比を有するマイクロキャビティ２次元または３次元測定に容易に応用できる。
【００４２】
ステップ４．ステップ３に記載したマイクロキャビティ検出器を座標測定機（ＣＭＭ）と組み合わせる。ＣＣＤカメラの結像信号およびマイクロキャビティ検出器の座標がリアルタイムに取得され、演算プログラムによって処理される。
【００４３】
ステップ４において、トリガー型のマイクロキャビティ測定法が形成され、座標および像の変化が高速でリアルタイムに記録される。マイクロキャビティ検出器がトリガーとして使用され、ＣＭＭは精密な３次元の動きを提供する。プローブボールが目標物のマイクロキャビティに接触するとすぐにＣＭＭの動きは停止する。
【００４４】
ステップ５．マイクロキャビティ製品にプローブボールを導入し、プローブボールがマイクロキャビティ製品に接触するまでマイクロキャビティ検出器をＣＭＭによって移動させる。ステップ４に記載した演算プログラムから、接触した位置の座標を取得することができる。接触した地点の座標から測定結果が生成される。
【００４５】
ステップ５においては、ステップ４に記載したトリガー型のマイクロキャビティ測定法を用いて、目標物地点の座標が取得される。プローブボールがマイクロキャビティ目標物に接触すると像変化が生じ、像変化に応じて、正確な最初の接触時間における座標が検知される。従って、検出地点の座標が容易かつ迅速に取得できる。次に、目標物のマイクロキャビティの大きさが、検出地点の座標に応じて計算される。
【００４６】
本願発明の第２の目的に従って、微小焦点距離コリメーションに基づいたマイクロキャビティ２次元検出装置が以下のように設けられる。
【００４７】
図１に示されるように、出力１５ｍＷのＨｅ−Ｎｅレーザが、その出力光が平行な平行光光源８として使用される。一般的に、ガスレーザは半導体レーザよりも安定なレーザビームを有する。つまり、光ビームは、角度ドリフトがほとんど無く、より安定な出力パワーを有する。ガスレーザの波長は、光電子検出器１５の特性に従って採択される。倍率１５０および開口数（ＮＡ）０．９５の対物レンズが球面レンズ群９として使用され、Ｈｅ−Ｎｅレーザの平行光を集光して点光源１０を形成する。超高変位感度を有する平行光結像光学システムが必要なので、点光源の空間の大きさは、より小さくする方がよい。単一モード光ファイバの一部をファイバステム１１として使用することができ、線引き侵食法（ｄｒａｗｉｎｇ  ａｎｄ  ｅｒｏｄｉｎｇ  ｍｅｔｈｏｄ）によりさらに細くすることができる。ライン状に配列されたＣＣＤカメラを光電子検出器１５として使用することができ、点光源１０の像を迅速かつ効果的にサンプリングすることができる。点光源の平行光結像光学システムを容易に形成するために、調節機構が採用される。４次元調節機構７は、平行光光源８を取り付け、並進２次元および回転２次元に関して調節するために使用される。５次元調節機構４は、ファイバステム１１を取り付け、並進３次元および回転２次元に関して調節するために使用される。ファイバプローブは、ファイバステム１１およびプローブボール１２を備える。プローブボール１２は、ファイバステムの一端を溶解することにより形成され、ボールの形状は、溶解ファイバの表面張力を受けて作り上げられる。ファイバステム１１は、プローブボール１２の動きを伝達するために設けられ、プローブボール１２は目標物に接触するために設けられる。台座１は、第１コネクタ２、第２コネクタ３、第３コネクタ５、および第４コネクタ６を接続し位置決めするために使用される。第１コネクタ２は４次元調節機構７を接続するために使用され、第２コネクタ３は球面レンズ群９を接続するために使用される。第３コネクタ５は５次元調節機構４を接続するために使用され、第４コネクタ６は光電子検出器１５を接続するために使用される。通信ケーブル１６は、光電子検出器１５から取得した結像信号を、デジタル取得処理システム１４へ伝送する。デジタル取得処理システム１４は一般的なコンピュータであってよく、結像信号を取得および処理し、プローブボール１２の動きに関連した数値を出力する。
【００４８】
本願発明の第３の目的に従って、微小焦点距離コリメーションに基づいたマイクロキャビティ３次元検出装置が以下のように設けられる。
【００４９】
図２に示されるように、出力１５ｍＷのＨｅ−Ｎｅレーザが、その出力光が平行な平行光光源８として使用される。一般的に、ガスレーザは半導体レーザよりも安定なレーザビームを有する。つまり、光ビームは、角度ドリフトがほとんど無く、より安定な出力パワーを有する。ガスレーザの波長および出力パワーは、光電子検出器１５の特性に従って採択される。倍率１５０および開口数（ＮＡ）０．９５の対物レンズが球面レンズ群９として使用され、Ｈｅ−Ｎｅレーザの平行光を集光して点光源１０を形成する。超高変位感度を有する平行光結像光学システムが必要なので、点光源の空間の大きさは、より小さくする方がよい。微小球面レンズ１７は、研磨法によって作成された微小光学ボールであってよい。領域状に配列されたＣＣＤカメラを光電子検出器１５として使用することができ、点光源１０の像を効果的にサンプリングすることができる。点光源の平行光結像光学システムを容易に形成するために、調節機構が採用される。４次元調節機構７は、平行光光源８を取り付け、並進２次元および回転２次元に関して調節するために使用される。５次元調節機構４は、カンチレバー１８を取り付け、並進３次元および回転２次元に関して調節するために使用される。ファイバプローブは、カンチレバー１８、ファイバステム１１、微小球面レンズ１７、およびプローブボール１２を備える。カンチレバー１８はファイバステム１１を５次元調節機構４に接続し、ファイバステムが３次元の自由度を持つように設けられる。ファイバステム１１は、プローブボール１２の動きを伝えるために設けられる。微小球面レンズ１７はファイバステム１１の動きを伝達するために設けられ、またプローブボール１２は目標物に接触するために設けられる。プローブボール１２は、ファイバステムの一端を溶解することにより形成され、ボールの形状は、溶解ファイバの表面張力を受けて作り上げられる。台座１は、第１コネクタ２、第２コネクタ３、第３コネクタ５、および第４コネクタ６を接続し位置決めするために使用される。第１コネクタ２は４次元調節機構７を接続するために使用され、第２コネクタ３は球面レンズ群９を接続するために使用される。第３コネクタ５は５次元調節機構４を接続するために使用され、第４コネクタ６は光電子検出器１５を接続するために使用される。通信ケーブル１６は、光電子検出器１５から取得した結像信号を、デジタル取得処理システム１４へ伝送する。デジタル取得処理システム１４は一般的なコンピュータであってよく、結像信号を取得および処理し、プローブボール１２の動きに関連した数値を出力する。
【００５０】
点光源１０は、図３に示される光反射機構によって得ることもできる。この図においては、平行光光源８が光源として設けられ、平面反射機構２０が、平行光光源８の平行光の照射方向を変化させるために使用される。そして凹面反射機構１９が、平面反射機構２０から反射された平行光を集光して点光源１０を形成する。このような点光源１０は、本願発明のマイクロキャビティ２次元検出装置およびマイクロキャビティ３次元検出装置のいずれにも使用することができる。
【００５１】
点光源１０は、図４に示される光回折機構によっても得ることができる。この図においては、平行光光源８が光源として設けられ、ピンホール機構２１が、平行光光源８の平行光を回折するために使用され、点光源１０を形成する。このような点光源１０は、本願発明のマイクロキャビティ２次元検出装置およびマイクロキャビティ３次元検出装置のいずれにも使用することができる。
【００５２】
本願発明の第３の目的において記載した微小球面レンズ１７は、図５ａに示すように、ファイバステム１１に埋め込まれる。
【００５３】
本願発明の第３の目的において記載した微小球面レンズ１７は、また、図５ｂに示すように、ファイバステム１１に接することもできる。
【図１】
0005366278.tif 000005
【図２】
0005366278.tif 000006
【図３】
0005366278.tif 000007
【図４】
0005366278.tif 000008
【図５（ａ）】
0005366278.tif 000009
【図５（ｂ）】
0005366278.tif 000010